(57)【要約】【課題】テレビジョン放送を第１の受信装置でライブ視聴を途中で中断し、その後別の場所に設置した第２の受信装置で簡単な操作だけでライブ視聴を中断したところから番組の続きを視聴できるようにすることにある。【解決手段】ホームネットワークを経由して自機と他機が通信可能なデジタルビデオレコーダー・サーバにおいて、自機で移動視聴の操作を行なうと、内蔵したデジタルビデオレコーダー部でそれまでライブ視聴中の番組の録画を開始し、その後他機からタイムシフト再生の指示を受けると、録画した番組を録画開始点から読み出してサーバ部より他機に対して配信し、他機でタイムシフト再生するようにした。【選択図】  図１
2008035533.tif 000002
【特許請求の範囲】
【請求項１】
映像信号を記録する記録手段を有する外部機器より送信される映像信号を含む番組信号を受信し、再生する受信装置であって、
ユーザの操作が入力される入力手段と、
前記入力手段における操作に応じて、前記外部機器より送信された番組信号をネットワーク経由にて受信する受信手段と、
前記受信手段により受信された信号を再生する再生手段と、
前記再生手段により再生された信号を出力する出力手段と、
を備え、
前記外部機器から送信される番組信号は、前記外部機器において既に視聴するために出力された番組信号と番組内容が連続し、前記外部機器において未だ再生されていない番組信号であることを特徴とする受信装置。
【請求項２】
前記外部機器から送信される信号は圧縮されたデジタル映像信号を含み、
前記再生手段は、受信した信号を伸長することを特徴とする請求項１に記載の受信装置。
【請求項３】
受信手段において受信可能な外部機器からの信号の一覧を出力する出力手段とを備えてなることを特徴とする請求項１に記載の受信装置。
【請求項４】
前記入力手段は、前記出力手段から出力される情報に応答してユーザの操作を入力することを特徴とする請求項１に記載の受信装置。
【請求項５】
前記受信装置は、放送された番組信号を受信し、記録する記録手段を備え、
前記外部機器から送信される番組信号に関する情報に基づいて、放送された番組信号を記録することを特徴とする請求項１に記載の受信装置。
【請求項６】
映像信号を受信し、外部機器へ送信する受信装置であって、
映像信号を受信する受信手段と、
前記受信手段において受信された映像信号を記録する記録手段と、
前記記録手段において記録された映像信号を外部機器へネットワーク経由で送信する送信手段と、
ユーザの操作が入力される入力手段と、を備え、
前記入力手段におけるユーザの操作に基づいて、前記記録手段は、受信した映像信号と、該映像信号の記録位置とを記録し、前記外部機器からの要求に応じて、前記記録位置に基づいて該記録手段において記録された映像信号を該外部機器に対して送信することを特徴とする受信装置。
【請求項７】
前記送信手段は、受信した映像信号に関連する録画情報をネットワーク経由で外部機器に送信することを特徴とする請求項６に記載の受信装置。
【請求項８】
前記受信手段は、圧縮された映像信号を含むデジタル放送信号を受信し、
前記送信手段は、圧縮された映像信号を外部機器に送信することを特徴とする請求項６に記載の受信装置。
【請求項９】
前記送信手段により録画情報を送信した後は、前記記録手段における映像信号の記録を停止することを特徴とする請求項７に記載の受信装置。
【請求項１０】
前記受信装置は、映像を表示する表示装置を備えてなり、前記受信手段により受信された映像信号を表示することを特徴とする請求項１ないし９のいずれかに記載の受信装置。
【請求項１１】
記録再生装置および受信装置において映像信号を再生する再生方法であって、
前記記録再生装置において映像信号を再生するステップと、
ユーザにより所定の操作が入力されるステップと、
該ユーザの操作の後に続く映像信号であって、前記再生するステップにおいて再生された映像の続きの映像を前記記録再生装置において記録するステップと、
前記受信装置において、前記記録再生装置に記録された映像信号の読み出しを要求するステップと、
前記要求に応じて、前記記録再生装置において記録されている前記ユーザの操作の後に続く映像信号をネットワーク経由で前記受信装置に送信するステップと、
前記受信装置において、前記記録再生装置により送信された映像信号を受信し、再生するステップと、
を備えてなる再生方法。
【請求項１２】
前記受信装置において、前記記録再生装置に記録された映像信号の読み出しを要求した後に、放送信号を受信し記録するステップと、
前記記録再生装置から送信された映像信号の内容と連続するように前記受信装置において記録された信号を再生するステップと、
を備えてなることを特徴とする請求項１１に記載の再生方法。
【請求項１３】
前記放送信号を受信し記録するステップは、前記記録再生装置が受信していた映像に関する録画情報により、所定の映像を記録するステップであることを特徴とする請求項１２に記載の再生方法。
【請求項１４】
前記記録再生装置において、
前記再生するステップは、デジタル放送信号を受信し、デコードするステップであり、前記記録するステップは、受信したデジタル放送信号を記録するステップであることを特徴とする請求項１１に記載の再生方法。
【請求項１５】
前記受信装置において、ネットワークにて接続された機器であって映像信号を受信することが可能な前記記録再生装置を含む複数の機器の名称を表示装置に表示するステップを備えてなることを特徴とする請求項１１に記載の再生方法。
【発明の詳細な説明】
【技術分野】
【０００１】
この発明は、ホームネットワークを経由してタイムシフト再生を行う受信装置、および再生方法に関するものである。
【背景技術】
【０００２】
従来のネットワークにいて用いられるタイムシフト再生装置は、チューナを備えたタイムシフト再生装置とチューナを備えないタイムシフト再生装置をネットワークで接続するものがあった（例えば、特許文献１）。
【０００３】
また別の従来の録画情報転送装置は、ユーザが録画再生装置に対して操作した操作情報を記憶し、その情報をネットワークを介して接続されている端末に送信するものがある（例えば、特許文献２）。
【０００４】
【特許文献１】特開２００２−１７１４６６号公報  （第３−４頁、図１）
【特許文献２】特開２００１−１４８８２６号公報  （第６−７頁、図１）
【発明の開示】
【発明が解決しようとする課題】
【０００５】
上記特許文献１においては、前記両方のタイムシフト再生装置は視聴者が一方から他方に移動して連続して見る場合に個々にタイムシフト再生する時間を指定する必要があった。また、上記特許文献２においては、ネットワークにて利用するために操作情報を記憶させておく必要があった。そこで、本発明の目的は、ユーザの使い勝手を考慮して、テレビジョン放送を第１の受信装置でライブ視聴の途中で移動視聴の操作をして視聴を中断し、別の場所に設置した第２の受信装置でタイムシフト再生の操作を行なうことにより視聴を中断した番組の続きを簡易な操作でタイムシフト視聴できるようにすることにある。
【課題を解決するための手段】
【０００６】
本発明は、上記した目的に対して、ホームネットワークを介して他機と連携可能で、自機で移動視聴の操作をすると内蔵した記録媒体にライブ視聴中の番組の録画を開始し、他機からタイムシフト再生の要求があると、録画した番組を録画開始点から読み出してサーバ部より他機に対して配信するものである。
【０００７】
また、本発明は上記した目的に対して、ホームネットワークを介して他機と連携可能で、自機で移動視聴の操作をすると他機に対して録画コマンドを送信し、他機に内蔵した記録媒体に自機でライブ視聴中の番組の録画を開始し、他機からタイムシフト再生の要求があると、自機からの指示により録画した番組を録画開始点からタイムシフト再生するものである。
【発明の効果】
【０００８】
本発明によると、使い勝手の良い再生システムを提供できる。
【発明を実施するための最良の形態】
【０００９】
以下、この発明の実施の一形態を説明する。
実施の形態１．図１は、この発明の実施の形態１によるデジタルビデオレコーダー・ホームサーバの構成を示すブロック図である。後の実施の形態２．３においても図１の構成を基礎とする。図１において、１ａ，１ｂはそれぞれ同じ構成のデジタルビデオレコーダー・ホームサーバであり、ホームネットワーク３を介して接続されている。この実施の形態１では、デジタルビデオレコーダー・ホームサーバ１ａ（以下、１号機という。）又は１ｂ（以下、２号機という。）と表示装置２ａ又は２ｂを分離した構成にしているが、一体の構成としても良い。
【００１０】
同図において、４はアナログチューナ、５はデジタルチューナ、６は記録媒体としてのハードディスク（図ではＨＤＤと略記する）、７はサーバ部、８はネットワーク部、９は操作部、１０はＡ／Ｄ変換器、１１はＤ／Ａ変換器、１２は圧縮器、１３は伸張器、１４ａはアナログ放送のアンテナ端子、１４ｂはデジタル放送のアンテナ端子、１５ａ，１５ｂは信号切換えスイッチ、１６は分離器である。
【００１１】
アナログ放送をそのまま受信して表示する場合は、アナログチューナ４の出力が表示装置２ａに加わるようにスイッチ１５ａを切り替える。また、デジタル放送をそのまま受信して表示する場合は、デジタルチューナ５の出力を分離器１６により多重化された複数のチャンネル（もしくはサービスとも言う）の信号から１つのチャンネルの信号を分離し、伸張器１３に加わるようにスイッチ１５ｂを切り替えるとともに、伸張器１３からの出力は、Ｄ／Ａ変換器１３でデジタルからアナログに変換された後、その出力が表示装置２ａに加わるようにスイッチ１５ａを切り替える。
【００１２】
一方、アナログ放送を録画する場合には、Ａ／Ｄ変換器１０と圧縮器１２を経由してデジタルかつ圧縮された信号に変換された後、サーバ部７に加えられ、ハードディスク６に録画する。
また、デジタル放送を録画する場合には、直接サーバ部７に加えられ、ハードディスク６に録画する。
【００１３】
そして、１号機で放送をライブ視聴中に、移動視聴の操作をユーザが操作部９に対して行なうと、操作部９は、サーバ部７に録画命令を出して、ライブ視聴中の番組のハードディスクへの録画を開始する。このとき、表示装置の電源は自動で切断するようにした方がより好ましい。
【００１４】
その後、ユーザが２号機が置かれた場所に移動し、２号機の操作部９に対してタイムシフト再生の操作を行なうと、操作部９はサーバ部７、ネットワーク部８、ホームネットワーク３を介して１号機にタイムシフト再生要求を出す。
【００１５】
１号機のネットワーク部８はタイムシフト再生要求をサーバ部７に伝え、サーバ部７はタイムシフト録画の開始点から読み出しを行ない、ネットワーク部８、ホームネットワーク３を介して２号機に録画した番組の送信を開始する。
【００１６】
２号機のネットワーク部８は、ネットワーク部８で番組を受信すると、サーバ部７、伸張部１３、Ｄ／Ａ変換部１１を経てアナログ信号に変換され、表示装置に再生・表示される。
【００１７】
図２は、実施の形態１による１号機と２号機のタスクの実行状態の説明図である。また、図６は１号機のフローチャートであり、図７は２号機のフローチャートである。１号機で放送をライブ視聴している途中で、移動視聴の操作を行なう（20,21）。この操作が行なわれた時点からハードディスクに録画を開始し、その録画位置を記録する（22）。録画位置の記録については、ＨＤＤに記録しても良いし、ＨＤＤとは異なるメモリを設けても良い。次に、表示の電源を切断し（23）、２号機の置かれた部屋に移動して、タイムシフト再生の開始を指示する（24）。この場合、２号機の起動直後に図５に示す操作メニューを表示し、このメニューの１番の「１号機の続きを見る」を選択する（30）。このメニューの表示例では、２番の「１号機のＢＳ」は、１号機のＢＳチューナと交信してライブ放送を受信することを示す。また、３番の「３号機のＣＳ」は、図示しないがホームネットワークに接続されたＣＳチューナと交信してライブ放送を受信することを示す。このタイムシフト再生の開始の指示は、ホームネットワークを経由して２号機から１号機に送信される（31）。フローチャートのＡがこの信号の送受信である。これを受けて、１号機は録画中のハードディスクに記録された番組を、移動視聴の操作のあった録画位置から読み出して（25）、２号機に配信を開始する（26）。フローチャートのＢがこの配信される番組の信号の送受信である。２号機は配信された番組を再生し、タイムシフト再生する（32）。視聴を終了するときには、タイムシフト再生の停止を２号機に指示し（33）、その指示はホームネットワーク経由で１号機に伝えらる（34、27）。フローチャートのＣがこのタイムシフト停止要求の信号の送受信である。それを受けて、１号機は読み出し・配信とハードディスク録画を停止する（28）。２号機の再生も停止される（35）。
【００１８】
この実施の形態１によれば、１号機の置かれた部屋で途中までテレビジョン放送番組をライブ視聴した後、移動視聴の操作をして、一旦視聴を中断し、その後、２号機の置かれた別の部屋に移動して、視聴を中断したところから番組の続きをタイムシフトして視聴できる効果がある。
【００１９】
なお、１号機自身でタイムシフト再生するためにライブ視聴中の番組を常時録画している場合は、移動視聴の操作が行なわれた時点の録画位置を記憶させて、録画状態をそのまま維持すれば、上記と同様の方法を適用することができる。
【００２０】
実施形態２．図３は、実施の形態２による１号機と２号機のタスクの実行状態の説明図である。また、図８は１号機のフローチャートであり、図９は２号機のフローチャートである。１号機で放送をライブ視聴している途中で、移動視聴の操作を行なう（40、41）。移動視聴の操作によってライブ視聴していた番組のハードディスクへの録画を開始し（42）、表示の電源を切断する（43）。その後、２号機の置かれた部屋に移動して、タイムシフト再生の開始を指示する（50）。この指示は、ホームネットワーク３を経由して２号機から１号機に送信される（51）。フローチャートのＤは、この信号の送受信である。これを受けて（44）、２号機のＨＤＤでの録画のための情報（チャンネル情報等）を送信する（45）。フローチャートのＥは、この第２のハードディスク録画を開始するためのチャンネル番号等の情報の送受信である。１号機はハードディスクに記録された番組を最初から読み出し、自らのＨＤＤでの録画を停止する（46）。また、読み出したデータを２号機へ送信する（47）。この配信開始と同時に２号機は、この番組のハードディスク録画を開始する（52）。フローチャートのＦは、１号機はハードディスクに記録された番組が配信されるときの信号の送受信である。配信を受けて、１号機の録画データのタイムシフト再生を開始する（53）。１号機のハードディスクに録画した番組の送信、読み出しが終了すると（48、49、54）、２号機自体のハードディスクからのタイムシフト再生に切り替えて表示する（55）。視聴を終了するときには、タイムシフト再生の停止の操作を行なうと（56）、２号機はタイムシフト再生とハードディスク録画を停止する（57、58）。
【００２１】
この実施の形態２によれば、１号機の置かれた部屋で途中までテレビジョン放送番組をライブ視聴した後、移動視聴の指示を出して、一時的に視聴を中断し、その後、２号機の置かれた別の部屋に移動して、視聴を中断したところから番組の続きをタイムシフトして視聴できる効果があるとともに、１号機の使用を早期に終えて、他の視聴者に開放することができる。
【００２２】
実施形態３．図４は、実施の形態３による１号機と２号機のタスクの実行状態の説明図である。また、図１０は１号機のフローチャートであり、図１１は２号機のフローチャートである。１号機で放送をライブ視聴している途中で（60）、移動視聴の操作をすると（61）、その操作の信号はフローチャートのＧの経路にてライブ視聴していたチャンネル情報とともに２号機に伝えられる（62）。タイムシフト録画が要求されると（70）、視聴していた番組をタイムシフト再生用にハードディスク録画を開始すると同時に（71）、１号機を停止する（63）。その後、２号機の置かれた部屋に移動して、２号機にタイムシフト再生の開始を指示し（72）、２号機に録画中のハードディスクに記録された番組の録画の最初から読み出してタイムシフト再生を開始する（73）。視聴を終了するときには、タイムシフト再生の停止を指示し（74）、２号機はタイムシフト再生とともにハードディスク録画を中止する（75）。
【００２３】
この実施の形態３によれば、１号機の置かれた部屋で途中までテレビジョン放送番組をライブ視聴した後、移動視聴の指示を出して、一時的に視聴を中断し、その後、２号機の置かれた別の部屋に移動して、視聴を中断したところから番組の続きを視聴できる効果があるとともに、移動視聴の指示を出した時点で１号機の使用をすぐに終えて、他の視聴者に全てを開放することができる。
【００２４】
上記の実施の形態１ないし３の機能をそれぞれのサーバに同時に持たせ、ユーザがいずれかのタイムシフト再生方法を選択する構成も可能である。以上のように、本発明では、１号機の置かれた部屋で途中までテレビジョン放送番組をライブ視聴した後、移動視聴の指示を出して、一時的に視聴を中断し、その後、２号機の置かれた別の部屋に移動して、視聴を中断したところから番組の続きをタイムシフトして視聴できる効果がある。
【図面の簡単な説明】
【００２５】
【図１】本発明の実施形態１によるデジタルビデオレコーダー・ホームサーバの構成を示すブロック図。
【図２】本発明の実施形態１によるタスクの実行状態の説明図。
【図３】本発明の実施形態２によるタスクの実行状態の説明図。
【図４】本発明の実施形態３によるタスクの実行状態の説明図。
【図５】本発明に係わる操作メニューの説明図。
【図６】本発明の実施形態１によるデジタルビデオレコーダー・ホームサーバ１ａの動作を示すフローチャート。
【図７】本発明の実施形態１によるデジタルビデオレコーダー・ホームサーバ１ｂの動作を示すフローチャート。
【図８】本発明の実施形態２によるデジタルビデオレコーダー・ホームサーバ１ａの動作を示すフローチャート。
【図９】本発明の実施形態２によるデジタルビデオレコーダー・ホームサーバ１ｂの動作を示すフローチャート。
【図１０】本発明の実施形態３によるデジタルビデオレコーダー・ホームサーバ１ａの動作を示すフローチャート。
【図１１】本発明の実施形態３によるデジタルビデオレコーダー・ホームサーバ１ｂの動作を示すフローチャート。
【符号の説明】
【００２６】
１ａ，１ｂ  デジタルビデオレコーダー・ホームサーバ、２ａ，２ｂ  表示装置、３  ホームネットワーク、４ａ，４ｂ  アナログチューナ、５ａ，５ｂ  デジタルチューナ、６ａ，６ｂ  ハードディスク、７ａ，７ｂ  サーバ部、８ａ，８ｂ  ネットワーク部、９ａ，９ｂ  操作部、１０ａ，１０ｂ  Ａ／Ｄ変換器、１１ａ，１１ｂ  Ｄ／Ａ変換器、１２ａ，１２ｂ  圧縮器、１３ａ，１３ｂ  伸張器、１４ａ，１４ｂ，１４ｃ，１４ｄ  アンテナ端子、１５ａ，１５ｂ  信号切換えスイッチ、１６  分離器、１７  メニュー画面。
【図１】
2008035533.tif 000003
【図２】
2008035533.tif 000004
【図３】
2008035533.tif 000005
【図４】
2008035533.tif 000006
【図５】
2008035533.tif 000007
【図６】
2008035533.tif 000008
【図７】
2008035533.tif 000009
【図８】
2008035533.tif 000010
【図９】
2008035533.tif 000011
【図１０】
2008035533.tif 000012
【図１１】
2008035533.tif 000013
【手続補正書】
【提出日】平成19年10月3日(2007.10.3)
【手続補正１】
【補正対象書類名】特許請求の範囲
【補正対象項目名】全文
【補正方法】変更
【補正の内容】
【特許請求の範囲】
【請求項１】
映像信号を受信する第１の受信部と、
外部機器からの映像信号及び当該映像信号に関する情報を受信する第２の受信部と、
前記第２の受信部に映像信号に関する情報が入力されると当該映像信号に関する情報に基づいて前記第１の受信部で受信する映像信号の記録を開始する記録部と、
前記第２の受信部で受信する映像信号及び前記記録部に記録された映像信号を出力する出力部とを有し、
前記第２の受信部における前記外部機器からの映像信号の受信が停止すると、
前記出力部は前記第２の受信部で受信した映像信号の出力から前記記録部に記録された映像信号の出力に切り替える受信装置。
【請求項２】
請求項１の受信装置であって、
前記記録部に記録する映像信号は前記第２の受信部で受信する映像信号の続きの映像信号である受信装置。
【請求項３】
請求項１又は２の受信装置であって、
前記記録部は、前記出力部が前記第２の受信部で受信した映像信号の出力から前記記録部に記録された番組の出力に切り替えた後も、前記第１の受信部で受信する番組の記録を続ける受信装置。
【請求項４】
請求項１〜３のいずれかの受信装置であって、
前記第２の受信部で受信する映像信号に関する情報は、当該映像信号のチャンネル情報を含む受信装置。
【請求項５】
請求項４の受信装置であって、
前記記録部は、前記映像信号に関する情報に含まれる当該映像信号のチャンネル情報が示すチャンネルと同じチャンネルの番組を記録する受信装置。
【請求項６】
請求項１〜５の受信装置であって、
ユーザの操作を入力する操作入力部と、
前記操作入力部にユーザの操作が入力されると前記外部機器に対して映像信号を要求する信号を送信する受信装置。
【請求項７】
外部機器からの映像信号及び当該映像信号に関する情報を受信し、
前記外部機器から受信した映像信号に関する情報に基づいて映像信号の記録を開始し、
前記外部機器から受信した映像信号を出力し、
前記外部機器から受信した映像信号を出力した後に前記記録した映像信号の出力を開始する受信方法。
【請求項８】
請求項７の受信方法であって、
前記記録した映像信号は前記外部機器から受信した映像信号の続きの映像信号である受信方法。
【請求項９】
請求項７又は８の受信方法であって、
前記記録した映像信号の出力を開始した後も映像信号の記録を続ける受信方法。
【請求項１０】
請求項７〜９のいずれかの受信装置であって、
前記外部機器から受信した映像信号に関する情報は、当該映像信号のチャンネル情報を含む受信方法。
【請求項１１】
請求項１０の受信装置であって、
前記記録する映像信号は、前記外部機器から受信した映像信号に関する情報に含まれる当該映像信号のチャンネル情報が示すチャンネルと同じチャンネルの映像信号である受信方法。
【請求項１２】
第１の受信装置および第２の受信装置において映像信号を受信する受信方法であって、
前記第１の受信装置において、
映像信号を受信し、
前記受信した映像信号を再生し、
ユーザによる操作を受信し、
当該ユーザの操作の後の映像信号を記録するとともに映像信号の再生を停止し、
前記第２の受信装置から前記記録した映像信号を要求する信号を受信し、
前記受信した要求に応じて前記記録した映像信号及び当該映像信号に関連する情報を前記第２の装置に送信し、
前記第２の受信装置において、
前記第１の受信装置からの映像信号及び映像信号に関連する情報を受信し、
前記受信した映像信号を再生するとともに前記受信した映像信号に関連する情報に基づいて映像信号を記録し、
前記第１２受信装置からの映像信号の送信が停止すると、前記第２の受信装置において記録した映像信号を再生する受信方法。
【請求項１３】
請求項１３の受信方法であって、
の受信装置において記録した映像信号の再生を開始した後も、映像信号の記録を続ける受信方法。
【請求項１４】
請求項１２又は１３の受信方法であって、
前記映像信号に関連する情報は、当該映像信号のチャンネル情報を含む受信方法。
【請求項１５】
請求項１４の受信方法であって、
前記第２の受信装置は、前記映像信号に関する情報に含まれる当該映像信号のチャンネル情報が示すチャンネルと同じチャンネルの映像信号を記録する受信方法。